(57)【特許請求の範囲】
【請求項１】
内外両箱間に断熱材を設けて形成し、第１冷却室を画成する横長の断熱箱体と、該断熱箱体の上方に設けられ、上面が開口した第２冷却室を画成する断熱突出壁体と、前記第１冷却室の側部に設けられ、冷却器及び冷気循環ファンを設けた冷却部と、該冷却部からの冷気の一部を前記第１冷却室の上方の前記第２冷却室に導入する前記冷却部側の導入部と、該導入部とは反対側に位置する断熱箱体の側部に形成され、第２冷却室と第１冷却室とを連通する導出部と、前記冷却部からの冷気の一部を第１冷却室内の上部に設けられ冷却部の反対側の導出部側に導入する第１冷却ダクトとよりなることを特徴とする横型冷却貯蔵庫。
【請求項２】
冷却部は前後に２つの冷気循環ファンを有し、導入部は後ろ側の冷気循環ファンより冷気を導入し、第１冷却ダクトは前側の冷気循環ファンより冷気を導入することを特徴とする請求項１記載の横型冷却貯蔵庫。
【請求項３】
第１冷却ダクトの下に第２冷却ダクトを形成したことを特徴とする請求項１又は請求項２記載の横型冷却貯蔵庫。
【請求項４】
第１冷却ダクトの冷気入り口に風量調整板を設けたことを特徴とする請求項１又は請求項２、或いは請求項３記載の横型冷却貯蔵庫。
【発明の詳細な説明】
【０００１】
【発明の属する技術分野】
本発明は、一般的にアンダーカウンターと称する横型の冷蔵庫若しくは冷凍庫等の冷却貯蔵庫に関する
【０００２】
【従来の技術】
本発明に先行する従来技術として、特開平７ー２１８０８９号（Ｆ２５Ｄ２３／００）には、内外両箱間に断熱材を設けて形成し、第１冷却室を画成する横長の断熱箱体と、この断熱箱体の側部に設けられた機械室と、この機械室及び前記断熱箱体の上方に設けられ、上面が開口した第２冷却室を画成する断熱突出壁体と、前記第１冷却室の側部に設けられ、冷却器及び冷気循環ファンを設けた冷却部と、この冷却部からの冷気の一部を前記第２冷却室の機械室上方区域に導入する導入部と、この導入部とは反対側に位置する断熱箱体の側部に形成され、第２冷却室と第１冷却室とを連通する導出部と、前記断熱突出壁体の上面開口を閉塞し、容器状を成して内部に被冷却物を収納する収納容器とを備えた横型冷蔵庫が開示されている。
【０００３】
【発明が解決しようとする課題】
上述した様な従来技術では、第２冷却室の導入部側に載置された収納容器は良好に冷却することができるが、導出部側に載置された収納容器が良好に冷却することができないという問題があった。
本発明は上述した問題点に鑑みてなされたもので、横方向に複数個載置した収納容器を万遍無く冷却することを目的とした横型冷却貯蔵庫を提供する。
【０００４】
【課題を解決するための手段】
上述目的を達成するための手段として、請求項１の発明では、内外両箱間に断熱材を設けて形成し、第１冷却室を画成する横長の断熱箱体と、この断熱箱体の側部に設けられた機械室と、この機械室及び前記断熱箱体の上方に設けられ、上面が開口した第２冷却室を画成する断熱突出壁体と、前記第１冷却室の側部に設けられ、冷却器及び冷気循環ファンを設けた冷却部と、この冷却部からの冷気の一部を前記第１冷却室の上方の前記第２冷却室に導入する前記冷却部側の導入部と、該導入部とは反対側に位置する断熱箱体の側部に形成され、第２冷却室と第１冷却室とを連通する導出部と、前記冷却部からの冷気の一部を第１冷却室内の上部に設けられ冷却部の反対側の導出部側に導入する第１冷却ダクトとよりなる横型冷却貯蔵庫を提供する。
【０００５】
よって、第２冷却室の冷気流の下流側にて、前半部で熱交換して温度上昇した冷気に冷却部吐出後のさほど温度上昇していない冷気が合流するため、後半部での収納容器を良好に冷却することが可能となる。
また、請求項２の発明では、冷却部は前後に２つの冷気循環ファンを有し、導入部は後ろ側の冷気循環ファンより冷気を導入し、第１冷却ダクトは前側の冷気循環ファンより冷気を導入する請求項１記載の横型冷却貯蔵庫を提供する。
【０００６】
このため、第２冷却室の前半部では、後ろ側の冷気循環ファンより吐出された冷気にて冷却し、第２冷却室の後半部は、第２冷却室の前半で熱交換した冷気及前側の冷気循環ファンからの冷気とで冷却する。
また、請求項３の発明では、第１冷却ダクトの下に第２冷却ダクトを形成した請求項１又は請求項２記載の横型冷却貯蔵庫を提供する。
【０００７】
このため、第１冷却室での熱交換は第２冷却ダクト内の冷気にて行なわれ、第１冷却ダクト内を通過する冷気は、第１冷却室と殆ど熱交換することなく第２冷却室後半部の冷却を行なうことができる。
また、請求項４の発明では、第１冷却ダクトの冷気入り口に風量調整板を設けた請求項１又は請求項２、或いは請求項３記載の横型冷却貯蔵庫を提供する。
【０００８】
このため、第２冷却室の後半部を冷却する第１冷却ダクトの冷気の量を風量調整板を取り付けることにより調整することができる。
【０００９】
【発明の実施の形態】
以下に本発明の一実施形態を図面を参照して説明する。図１は本発明の冷却貯蔵庫の正面図、図２は冷却貯蔵庫の側断面図、図３は冷却貯蔵庫の平面図、図４は断熱突出壁の断面図、図５は冷却貯蔵庫の上面図、図６は冷却貯蔵庫側部の断面図、図７は冷却貯蔵庫正面からの断面図、図８は冷却貯蔵庫の平断面図、図９は冷却貯蔵庫の側断面図、図１０は冷却貯蔵庫の透視斜視図、図１１は本発明の冷却貯蔵庫の構成図、図１２は本発明の構成における分解斜斜視図である。
【００１０】
１は第１冷却室２を画成する横長の断熱箱体で、ステンレス製の内箱３及び外箱４と、これら内外両箱３、４間に発泡充填された断熱材５によって構成されている。この断熱箱体１は前面に開口部６を有しており、開閉扉７にて開閉自在に閉塞されている。また、側方には圧縮機７、凝縮器８、凝縮器冷却用冷気循環ファン１１等のコンデンシングユニットを収納し、カバー１０にて閉塞されて成る機械室９が並設されている。尚、カバー１０の下部にはコンデンシングユニットを冷却するための吸気ダクト１０Ａが形成されており、上部にはコントロールパネル１０Ｂが露出している。また、７Ａは開閉扉７の取手であり、６６は上面を作業台となすトップテーブルで、６７は第１冷却室２を照らす照明装置である。
【００１１】
また、断熱箱体１内側、即ち第１冷却室２の機械室９側には、第１冷却室２及び第１冷却室２の上方に設けられた第２冷却室１２を冷却するための冷却部１５が設けられており、この冷却部１５は、前記圧縮機７、凝縮器８と共に冷凍サイクルを構成する冷却器１６と、この冷却器１６にて熱交換された冷気を循環供給する冷気循環ファン１７にて構成され、冷却器１６及び冷気循環ファン１７を冷却部カバー１８にて被覆している。
【００１２】
更に、第１冷却室２内には、食材を載置する載置棚５０又は収納容器５１が設けられている。この載置棚５０又は収納容器５１は支柱５２に取付けた棚受け若しくは支持レールにて支持するものであり、５３が載置棚５０又は収納容器５１と第１冷却室２の背面との間に空間を形成するためのスペーサである。
また、冷気循環ファン１７は左右に２台設けられており、冷却部カバー１８の冷気循環ファン１７に対応する位置には冷気吐出口１８Ｂが形成され、冷却部カバー１８の下部には第１冷却室２からの冷気を吸い込む吸込口１８Ａが形成されている。また、冷却器１６の下方には除霜水を受けるための露受皿１９が設けられており、この露受皿１９は除霜水排水管３０に接続され、除霜水を断熱箱体１の底部に設けた除霜水受け３１に排水するものである。
【００１３】
更に、第１冷却室２及び第２冷却室１２内の結露水は、結露水排水管３２にて断熱箱体１の底部に設けられた結露水受け３３に排水されるものである。これら除霜水受け３１及び結露水受け３３は同様の構造で、排水容器３４が前方に引き出し自在となっており、排水容器３４内に不織布等にて形成された除霜水処理部材を設けても良い。なお、図１及び図２の６５は台脚で、冷蔵庫本体を移動するための車輪が設けられているが、図１０に示す如く車輪の無い通常の台脚あっても良い。
【００１４】
また、冷蔵庫本体の上部には前記第２冷却室１２を画成し、上面が開口した断熱突出壁体１３が設けられており、この断熱突出壁体１３は断熱箱体１及び機械室８に跨って設けられている。即ち、断熱突出壁体１３にて画成される第２冷却室１２は機械室８の上方から断熱箱体１の全幅に渡って形成されているものである。そして、この断熱突出壁体１３の上面開口はホテルパンと称される収納容器１４にて閉塞されており、この収納容器１４はステンレス等の熱伝導性の良好な部材にて形成され、一時的に冷却保存する食材等を収納するものである。
【００１５】
尚、断熱突出壁体１３の右側部には、窪み６０が形成されており、この窪み６０にはステンレス製のソース６２、ドレッシング６３等を収納するための容器６１が挿入されている。
また、この収納容器１４は上面が開口しており、この開口縁にはフランジ１４Ａが形成されている。そして、断熱突出壁体１３の開口縁に形成した壁体段部１３Ａに前記収納容器１４のフランジ１４Ａを載置することにより、収納容器１４を保持するものである。
【００１６】
更に、断熱突出壁体１３の開口は、透明扉４０にて開閉自在に閉塞されており、この透明扉４０は、ガラス若しくはアクリル等の透明板４１の周囲にステンレス製の枠材４２を組み付けたものである。また、この透明板４１には透明扉４０を開閉するための把手４３が取り付けられており、開閉動作はヒンジ４４にて開閉されるものである。
【００１７】
また、第１冷却室２及び第２冷却室１２は導入部２１を介して連通しており、この導入部２１は、前記冷気循環ファン１７の奥側に設けられ、後ろ側の冷気循環ファン１７を被覆する第１仕切部材２０と、前記第１冷却室２及び第２冷却室１２を仕切る第２仕切部材２２の一部と、機械室９の天壁９Ａとによって冷気通路２３を形成して成るものである。
【００１８】
ここで、機械室９の天壁９Ａは、断熱箱体１の側部に固着されており、Ｌ字型の支持部材２４にて支持されるものである。また、天壁９Ａ自体は断面がＬ字状をしており、機械室９の上方に段部を形成し、この段部を冷気導入部２１とするものである。そして、機械室９の上方であって、且つ天壁９Ａの上端と第２仕切部材２２との間には開口部２５が形成されており、この開口部２５にて導入部２１からの冷気を第２冷却室１２に導入するものである。
【００１９】
更に、前記開口部２５には第２冷却室１２の横方向に向けて冷気を送風するための風向ダクト２６が設けられており、第２仕切部材２２は断熱箱体１の略中央部まで延在している。また、この第２仕切部材２２の下面には、図１０乃至図１２に示す如く、クランク状に形成された第３仕切部材３５が取り付けられており、第２仕切部材２２及び第３仕切部材３５にて第１冷気通路２７（第１冷却ダクト）を形成している。また、前記風向ダクト２６の上面には、直上に載置される収納容器１４に冷気を送風するため、孔２６Ａが形成されている。
【００２０】
また、図８に示す如く、前記第１冷気通路２７の冷気入り口に着脱自在の風量調整板４５を設けても良い。この風量調整板４５は、略Ｌ字状をなしており、冷気入り口の開口面積を調整するものである。
尚、この第１冷気通路２７は前記第２仕切部材２２と同じ長さで形成されているため、第１冷気通路２７は断熱箱体１の略中央部付近まで形成される事となる。断熱箱体１の左側ではこの第１冷気通路２７が第２冷却室１２に合流する。
【００２１】
また、この第１冷気通路２７は手前側の冷気循環ファン１７から冷気を導入し、第２仕切部材２２の下側に流入するものである。即ち、第１冷気通路２７は冷気循環ファン１７の上部に対向して開口しており、第３仕切部材３５がクランク状に形成されているため、第１冷気通路２７はクランク状となっている。
また、この第３仕切部材３５の下方には、所定の間隔を存して第４仕切部材３６が設けられており、第２冷気通路３７（第２冷却ダクト）を形成している。この第２冷気通路３７の冷却部１５側は、前記冷却部１５の冷気循環ファン１７の上部と対向位置すると共に、或程度離間して形成されており、逆側は、側壁１Ａと或程度離間して設けられ、導出部２９としている。
【００２２】
第４仕切部材３６には断熱箱体１の冷却部１５側、略中央部位置、及び側壁１Ａ側には、複数の吐出孔３８が形成されている。更に、図８に示す如く、この第４仕切部材３６のであって、且つ第２仕切部材２２以降の第２冷却室１２下方には、収納容器１４表面から滴下する露を受ける露受け板３９が設けられている。また、冷気の循環は、図７及び図８に示す黒矢印に示す、或いは図１０及び図１１に示す白抜き矢印に示す如き流れで循環する。
【００２３】
即ち、冷却部１５内の冷却器１６にて冷却された空気は、冷気循環ファン１７にて第１冷却室２及び第２冷却室１２に送風される。この際、後側の冷気循環ファン１７による冷気は、導入部２１を通過して第２冷却室１２に導入される。それ以外の冷気は第２冷気通路３７に導入される。
また、前側の冷気循環ファン１７による冷気は、第１冷気通路２７及び第２冷気通路３７に導入され、第１冷気通路２７の冷気は後半で、第２冷気通路３７の一部及び第２冷却室１２内の冷気と合流する。そして、第２冷気通路３７の冷気の一部は前記第４仕切部材３６に形成された吐出孔３８から第１冷却室２内に吐出され、その他の冷気は前述の如く、第１冷気通路２７の冷気及び第２冷却室１２内の冷気と合流し、側壁１Ａ側の吐出孔３８若しくは前記導出部２９から第１冷却室２に吐出される。
【００２４】
更に、前記冷気循環ファン１７からの冷気の一部は、図１１に示す如く、直接第１冷却室２に吐出される。
即ち、請求項１の発明では、内外両箱３、４間に断熱材５を設けて形成し、第１冷却室２を画成する横長の断熱箱体１と、この断熱箱体１の側部に設けられた機械室９と、この機械室９及び前記断熱箱体１の上方に設けられ、上面が開口した第２冷却室１２を画成する断熱突出壁体１３と、前記第１冷却室２の側部に設けられ、冷却器１６及び冷気循環ファン１７を設けた冷却部１５と、この冷却部１５からの冷気の一部を前記第２冷却室１２に導入する導入部２１と、この導入部２１とは反対側に位置する断熱箱体１の側部に形成され、第２冷却室１２と第１冷却室２とを連通する導出部２９と、前記冷却部１５からの冷気の一部を第２冷却室１２の冷気流の下流側に導入する第１冷気通路２７とよりなる横型冷却貯蔵庫を提供する。
【００２５】
よって、第２冷却室１２の冷気流の下流側にて、前半部で熱交換して温度上昇した冷気に冷却部１５吐出後のさほど温度上昇していない冷気が合流するため、後半部での収納容器１４を良好に冷却することが可能となる。
また、請求項２の発明では、冷却部１５は前後に２つの冷気循環ファン１７を有し、導入部２１は後ろ側の冷気循環ファン１７より冷気を導入し、第１冷気通路２７は前側の冷気循環ファン１７より冷気を導入する請求項１記載の横型冷却貯蔵庫を提供する。
【００２６】
このため、第２冷却室１２の前半部では、後ろ側の冷気循環ファン１７より吐出された冷気にて冷却し、第２冷却室１２の後半部は、第２冷却室１２の前半で熱交換した冷気及前側の冷気循環ファン１７からの冷気とで冷却する。これにより、第２冷却室１２を均一に冷却することができる。
また、請求項３の発明では、第１冷気通路２７の下に第２冷気通路３７を形成した請求項１又は請求項２記載の横型冷却貯蔵庫を提供する。
【００２７】
このため、第１冷却室２での熱交換は第２冷却通路３７内の冷気にて行なわれ、第１冷却冷気通路２７内を通過する冷気は、第１冷却室２と殆ど熱交換することなく第２冷却室１２後半部の冷却を行なうことができる。
また、請求項４の発明では、第１冷気通路２７の冷気入り口に風量調整板４５を設けた請求項３記載の横型冷却貯蔵庫を提供する。
【００２８】
このため、第２冷却室１２の後半部を冷却する第１冷却冷気通路２７の冷気の量を風量調整板４５を取り付けることにより調整することができる。
【００２９】
【発明の効果】
請求項１の発明によると、内外両箱間に断熱材を設けて形成し、第１冷却室を画成する横長の断熱箱体と、この断熱箱体の側部に設けられた機械室と、この機械室及び前記断熱箱体の上方に設けられ、上面が開口した第２冷却室を画成する断熱突出壁体と、前記第１冷却室の側部に設けられ、冷却器及び冷気循環ファンを設けた冷却部と、この冷却部からの冷気の一部を前記第１冷却室の上方の前記第２冷却室に導入する前記冷却部側の導入部と、該導入部とは反対側に位置する断熱箱体の側部に形成され、第２冷却室と第１冷却室とを連通する導出部と、前記冷却部からの冷気の一部を第１冷却室内の上部に設けられ冷却部の反対側の導出部側に導入する第１冷却ダクトとよりなる横型冷却貯蔵庫を提供する。
【００３０】
よって、第２冷却室の冷気流の下流側にて、前半部で熱交換して温度上昇した冷気に冷却部吐出後のさほど温度上昇していない冷気が合流するため、後半部での収納容器を良好に冷却することが可能となる。従って、第２冷却室を均一に冷却することができる。
また、請求項２の発明では、冷却部は前後に２つの冷気循環ファンを有し、導入部は後ろ側の冷気循環ファンより冷気を導入し、第１冷却ダクトは前側の冷気循環ファンより冷気を導入する請求項１記載の横型冷却貯蔵庫を提供する。
【００３１】
このため、第２冷却室の前半部では、後ろ側の冷気循環ファンより吐出された冷気にて冷却し、第２冷却室の後半部は、第２冷却室の前半で熱交換した冷気及前側の冷気循環ファンからの冷気とで冷却する。これにより、第２冷却室を均一に冷却することができる。
また、請求項３の発明では、第１冷却ダクトの下に第２冷却ダクトを形成した請求項１又は請求項２記載の横型冷却貯蔵庫を提供する。
【００３２】
このため、第１冷却室での熱交換は第２冷却ダクト内の冷気にて行なわれ、第１冷却ダクト内を通過する冷気は、第１冷却室と殆ど熱交換することなく第２冷却室後半部の冷却を行なうことができる。これにより、第２冷却室を均一に冷却することができる。
また、請求項４の発明では、第１冷却ダクトの冷気入り口に風量調整板を設けた請求項１又は請求項２、或いは請求項３記載の横型冷却貯蔵庫を提供する。
【００３３】
このため、第２冷却室の後半部を冷却する第１冷却ダクトの冷気の量を風量調整板を取り付けることにより調整することができる。
【図面の簡単な説明】
【図１】本発明の冷却貯蔵庫の正面図である。
【図２】冷却貯蔵庫の側断面図である。
【図３】冷却貯蔵庫の平面図である。
【図４】断熱突出壁の断面図である。
【図５】冷却貯蔵庫の上面図である。
【図６】冷却貯蔵庫側部の断面図である。
【図７】冷却貯蔵庫正面からの断面図である。
【図８】冷却貯蔵庫の平断面図である。
【図９】冷却貯蔵庫の側断面図である。
【図１０】冷却貯蔵庫の透視斜視図である。
【図１１】本発明の冷却貯蔵庫の構成図である。
【図１２】本発明の構成における分解斜視図である。
【符号の説明】
１  断熱箱体
２  第１冷却室
３  内箱
４  外箱
５  断熱材
９  機械室
１２  第２冷却室
１３  断熱突出壁体
１４  収納容器
１５  冷却部
１６  冷却器
１７  冷気循環ファン
２１  導入部
２７  第１冷気通路
２９  導出部
３７  第２冷気通路
４５  風量調整板
【図１】
0003615294.tif 000002
【図２】
0003615294.tif 000003
【図３】
0003615294.tif 000004
【図４】
0003615294.tif 000005
【図５】
0003615294.tif 000006
【図６】
0003615294.tif 000007
【図７】
0003615294.tif 000008
【図８】
0003615294.tif 000009
【図９】
0003615294.tif 000010
【図１０】
0003615294.tif 000011
【図１１】
0003615294.tif 000012
【図１２】
0003615294.tif 000013